(57)【要約】【課題】傘のろくろの表面にリブ用締め具のねじり結合部が露出するのを防止する。【解決手段】傘のろくろを２つに分割して上部ブロックと下部ブロックとする。この上部ブロックと下部ブロックを圧入により結合可能とし、上部と下部のブロックの中のいずれか一方のブロックに、リング状の締め具を嵌合するための周面と、該締め具の軸方向に突出する両端を受け入れる穴を設け、他方のブロックに前記周面に嵌合する締め具を覆うカバー部を設ける。【選択図】図１
2011125468.tif 000002
【特許請求の範囲】
【請求項１】
ろくろ（８）（１０）を２つに分割して上部ブロック（１４）（３２）と下部ブロック（１６）（３４）とし、該上部ブロック（１４）（３２）と下部ブロック（１６）（３４）を圧入により結合可能とし、前記上部と下部のブロックの中のいずれか一方のブロック（１４）（３４）に、リング状の締め具（２２）（３８）を嵌合するための周面（１４ｃ’’）（３４ｃ’）と、該締め具（２２）（３８）の軸方向に突出する両端（２２ａ）（３８ａ）を受け入れる穴（２４）（４０）を設け、他方のブロック（１６）（３２）に前記周面（１４ｃ’’）（３４ｃ’）に嵌合する締め具（２２）（３８）を覆うカバー部（１６ｃ）（３２ｃ）を設けたことを特徴とする傘用ろくろ。
【発明の詳細な説明】
【技術分野】
【０００１】
本発明は、傘に用いられるろくろに関する。
【背景技術】
【０００２】
傘のシャフトには、先端に図１３に示す上ろくろ（５６）が固着され、そのシャフトの中間部には、図１４に示す下ろくろ（５４）がスライド自在に取り付けられている。上ろくろ（５６）には、ワイヤから成る締め具（６０）によって、親骨の複数のリブ（１２）が枢支されている。下ろくろ（５４）も同様に受け骨の複数のリブ（１２）が締め具（５８）によって枢支されている。下ろくろ（５４）のシャフトに沿った上下摺動に連動して、傘の開閉が行われる。従来の傘において、上記上ろくろ（５６）と下ろくろ（５４）に装着された締め具（６０）（５８）は、ろくろ（５６）（５４）の表面に露出して配置され、それらのねじり結合部（６０ａ）（５８ａ）が外部に露出した構成となっている。
【発明の概要】
【発明が解決しようとする課題】
【０００３】
ろくろの表面に締め具のねじり結合部が露出した構成であると、この結合部に人の手が引っかかって、傷つくことがあり、安全上、好ましくないと言う問題点がある。
本発明は、上記問題点を解決することを目的とする。
【課題を解決するための手段】
【０００４】
上記問題点を達成するため、本発明は、ろくろ（８）（１０）を２つに分割して上部ブロック（１４）（３２）と下部ブロック（１６）（３４）とし、該上部ブロック（１４）（３２）と下部ブロック（１６）（３４）を圧入により結合可能とし、前記上部と下部のブロックの中のいずれか一方のブロック（１４）（３４）に、リング状の締め具（２２）（３８）を嵌合するための周面（１４ｃ’’）（３４ｃ’）と、該締め具（２２）（３８）の軸方向に突出する両端（２２ａ）（３８ａ）を受け入れる穴（２４）（４０）を設け、他方のブロック（１６）（３２）に前記周面（１４ｃ’’）（３４ｃ’）に嵌合する締め具（２２）（３８）を覆うカバー部（１６ｃ）（３２ｃ）を設けたものである。
【発明の効果】
【０００５】
本発明は、ろくろに取り付けられる締め具をろくろに内蔵させ、外部に露出しない構成としたので、安全性を高めることができる。
【図面の簡単な説明】
【０００６】
【図１】下ろくろの正面図である。
【図２】下ろくろの上部ブロックの正面図である。
【図３】下ろくろの上部ブロックの底面図である。
【図４】締め具の平面図である。
【図５】下ろくろの下部ブロックの正面図である。
【図６】下ろくろの下部ブロックの平面図である。
【図７】上ろくろの正面図である。
【図８】上ろくろの上部ブロックの正面図である。
【図９】上ろくろの上部ブロックの底面図である。
【図１０】上ろくろの下部ブロックの正面図である。
【図１１】上ろくろの下部ブロックの平面図である。
【図１２】洋傘の正面図である。
【図１３】従来の上ろくろの正面図である。
【図１４】従来の下ろくろの正面図である。
【発明を実施するための形態】
【０００７】
以下に本発明の構成を添付した図面を参照して詳細に説明する。
図１２は、折り畳み式洋傘のシャフト部分と、骨組み部分の一部を示す説明図であり、傘を開いた状態を示している。シャフト部分（２）は、３本のシャフトからなり一番太い下部シャフト（図示省略）には、中間スライドシャフト（４）が嵌合配置され、該スライドシャフト（４）に上部スライドシャフト（６）が嵌合配置されている。
【０００８】
前記シャフト部分（２）には、下ろくろ（８）がスライド可能に嵌合配置されている。前記上部スライドシャフト（６）の上端には、上ろくろ（１０）が固設されている。前記下部シャフトと、スライドシャフト（４）（６）から成る３本のシャフトは軸方向にのみ互いにスライド自在に嵌合している。前記上ろくろ（１０）と、下ろくろ（８）には、折り畳み自在な骨部分を構成するリブ（１２）の根本部分が放射状に枢動自在に結合している。シャフト部分（２）を伸ばし、下ろくろ（８）をシャフト部分（２）に沿って先端方向に移動させると、骨部分が、下ろくろ（８）の移動に伴って開く。
【０００９】
下ろくろ（８）は、図１に示すように、上部ブロック（１４）と下部ブロック（１６）に分割して構成されている。上部ブロック（１４）は、筒状の本体（１４ａ）と、該筒状の本体（１４ａ）に一体的に形成されたつば部（１４ｂ）と、嵌合筒部（１４ｃ）とから成り、つば部（１４ｂ）に、骨部分のリブ（１２）を案内する為の、軸方向に延びる溝（１８）が径方向に所定間隔を存して穿設されている。
【００１０】
つば部（１４ｂ）の、軸方向に垂直な下面（２０）には締め具（２２）用の穴（２４）が穿設されている。前記嵌合筒部（１４ｃ）の下端には、ピンから成る結合用凸部（２６）が突設されている。下部ブロック（１６）の本体（１６ａ）の上部には、図５に示すようにつば部（１６ｂ）が一体的に形成され、該つば部（１６ｂ）に、筒状の締め具カバー（１６ｃ）と、筒状受部（１６ｄ）が形成されている。
【００１１】
筒状受部（１６ｄ）の、軸方向に対して垂直な上端面と前記カバー部（１６ｃ）には、リブ（１２）を案内するための、軸方向に延びる溝（２８）が径方向に所定間隔を存して穿設されている。また、本体（１６ａ）の内径部には、前記嵌合筒部（１４ｃ）の下端を受ける受け面（１６ｅ）が形成され、該受け面（１６ｅ）に、筒状受部（１６ｄ）に穿設された、ピン穴からなる嵌合受け部（３０）が開口している。締め具（２２）は、図４に示すように、リング状に形成され、両端部に、リングの軸方向に突出して互いに平行な突出部（２２ａ）（２２ａ）が形成されている。
【００１２】
次に、下ろくろ（８）の組み立て工程について説明する。
予め締め具（２２）にリブ（１２）を通しておく。この締め具（１２）を上部ブロック（１４）の嵌合筒部（１４ｃ）の上部に形成された拡径部（１４ｃ'）の周面（１４ｃ’’）に嵌合し、各リブ（１２）を、対応する溝（１８）に配置するとともに、締め具（２２）の突出部（２２ａ）（２２ａ）を穴（２４）に挿入する。次に嵌合筒部（１４ｃ）を、下部ブロック（１６）の筒状受部（１６ｄ）に嵌合し、結合用凸部（２６）を嵌合受部（３０）に圧入する。
【００１３】
該状態において、上部ブロック（１４）と、下部ブロック（１６）は図１に示すように結合する。この結合状態において、締め具カバー部（１６ｃ）の上端は、上部ブロック（１４）のつば部（１４ｂ）の下面に当接し、締め具（２２）は、カバー部（１６ｃ）によって覆われる。また、上部ブロック（１４）のつば部（１４ｂ）に形成された溝（１８）と、下部ブロック（１６）のつば部（１６ｂ）に形成された溝（２８）は、軸方向に一致する。嵌合筒部（１４ｃ）の拡径部（１４ｃ'）の軸方向に垂直な下端面と、筒状受部（１６ｄ）の軸方向に垂直な上端面は互いに当接し、嵌合筒部（１４ｃ）の、軸方向に垂直な下端面は、本体（１６ａ）の内径部に形成された筒状受部（１６ｄ）の下端に形成された軸方向に垂直な、図６に示す、受け面（１６ｅ）に当接する。
【００１４】
次に、上ろくろ（１０）について、図７乃至図１１を参照して説明する。
上ろくろ（１０）は、上部ブロック（３２）と下部ブロック（３４）に分割して構成されている。下部ブロック（３４）は、軸状の本体（３４ａ）と、該本体（３４ａ）に一体的に形成されたこれより大径な円柱状の拡径部（３４ｂ）と、円柱部（３４ｃ）とから成り、拡径部（３４ｂ）に、傘の骨部分のリブ（１２）を揺動方向に案内するための溝（３６）が所定間隔を存して穿設されている。
【００１５】
拡径部（３４ｂ）の、軸方向に垂直な上面には、締め具（３８）用の穴（４０）が穿設されている。前記本体（３４ａ）には、結合用の角穴（４２）が穿設され、該角穴（４２）は、円柱部（３４ｃ）の、軸方向に垂直な上端面に開口している。上部ブロック（３２）の本体（３２ａ）には、石突（４４）が固定され、該本体（３２ａ）には、円柱部（３２ｂ）が一体的に形成され、該円柱部（３２ｂ）に、筒状の締め具カバー部（３２ｃ）と、結合用凸部（４６）が形成されている。円柱部（３２ｂ）の、軸方向に対して垂直な下端面と前記カバー部（３２ｃ）には、リブ（１２）を揺動方向に案内するための溝（４８）が所定間隔を存して穿設されている。締め具（３８）は、図１０に示すように、リング状に形成され、両端部に、リングの軸方向に突出して互いに突出部（３８ａ）（３８ａ）が形成されている。
【００１６】
次に、上ろくろ（１０）の組み立て工程について説明する。
予め締め具（３８）にリブ（１２）を通しておく。この締め具（３８）を、下部ブロック（３４）の円柱部（３４ｃ）の周面（３４ｃ’）に嵌合し、各リブ（１２）を、対応する溝（３６）に配置するとともに、締め具（３８）の突出部（３８ａ）（３８ａ）を穴（４０）に挿入する。次に上部ブロック（３２）の結合用凸部（４６）を下部ブロック（３４）の結合用凹部（４２）に圧入する。該状態において、上部ブロック（３２）と、下部ブロック（３４）は図７に示すように結合する。
【００１７】
この結合状態において、締め具カバー部（３２ｃ）の下端は、下部ブロック（３４）の拡径部（３４ｂ）の軸方向に垂直な上面に当接し、締め具（３８）は、カバー部（３２ｃ）によって覆われる。また、下部ブロック（３４）の拡径部（３４ｂ）に形成された溝（３６）と、上部ブロック（３２）の円柱部（３２ｂ）に形成された溝（４８）は、軸方向に一致する。下部ブロック（３４）の拡径部（３４ｂ）の軸方向に垂直な上端面と、上部ブロック３２の円柱部（３２ｂ）の軸方向に垂直な下端面は互いに当接する。
【符号の説明】
【００１８】
２      シャフト部分
４      中間スライドシャフト
６      上部スライドシャフト
８      下ろくろ
１０    上ろくろ
１２    リブ
１４    上部ブロック
１４ａ  本体
１４ｂ  つば部
１４ｃ  嵌合筒部
１４ｃ’拡径部
１４ｃ’’周面
１６    下部ブロック
１６ａ  本体
１６ｂ  つば部
１６ｃ  カバー部
１６ｄ  筒状受部
１６ｅ  受け面
１８    溝
２０    下面
２２    締め具
２２ａ  突出部
２４    穴
２６    凸部
２８    溝
３０    嵌合受部
３２    上部ブロック
３２ａ  本体
３２ｂ  円柱部
３２ｃ  カバー部
３４    下部ブロック
３４ａ  本体
３４ｂ  拡径部
３４ｃ  円柱部
３４ｃ’周面
３６    溝
３８    締め具
４０    穴
４２    凹部
４４    石突
４６    凸部
４８    溝
５０    端面
５２    端面
５４    下ろくろ
５６    上ろくろ
５８    締め具
６０    締め具
【図１】
2011125468.tif 000003
【図２】
2011125468.tif 000004
【図３】
2011125468.tif 000005
【図４】
2011125468.tif 000006
【図５】
2011125468.tif 000007
【図６】
2011125468.tif 000008
【図７】
2011125468.tif 000009
【図８】
2011125468.tif 000010
【図９】
2011125468.tif 000011
【図１０】
2011125468.tif 000012
【図１１】
2011125468.tif 000013
【図１２】
2011125468.tif 000014
【図１３】
2011125468.tif 000015
【図１４】
2011125468.tif 000016